(57)【特許請求の範囲】
【請求項１】
複数の照明器具と；
前記複数の照明器具の姿勢を制御するための姿勢情報を送信する主制御手段と；
前記複数の照明器具の姿勢を夫々変化させるための姿勢駆動手段と；
前記主制御手段からの姿勢情報に基づいて前記姿勢駆動手段を制御する副制御手段であって、前記主制御手段の異常発生を示す緊急信号を取り込むための入力手段と、緊急時において前記副制御手段独自で姿勢制御するための姿勢情報を予め記憶した記憶手段とを有し、前記入力手段に緊急信号が取り込まれた場合には、前記主制御手段による姿勢制御に代えて前記記憶手段に記憶された姿勢情報に基づいて前記姿勢駆動手段を制御することの可能な副制御手段と；
前記主制御手段からの姿勢情報を複数の副制御手段に伝送するための伝送線とは別に、前記主制御手段、又は前記伝送線の異常発生時に緊急信号を発生させるために前記主制御装置を有する調光卓、又は姿勢制御操作卓に設けられた信号発生手段を操作することにより、前記信号発生手段からの緊急信号を前記複数の副制御手段の入力手段に夫々伝送するための緊急時用伝送線と；
を具備したことを特徴とする照明システム。
【請求項２】
前記記憶手段に記憶されている姿勢情報は、少なくとも前記複数の照明器具のランプによって照射される照射領域に対してほぼ均一に明かりを確保するように前記副制御手段によって姿勢制御を行わせるための情報であることを特徴とする請求項１に記載の照明システム。
【発明の詳細な説明】
【０００１】
【発明の属する分野】
本発明は、舞台やスタジオ等に用いられる照明器具の姿勢状態を効果的に制御するのに好適の照明器具姿勢制御装置に関する。
【０００２】
【従来の技術】
一般に、舞台やスタジオ等に用いられる照明においては、照明の明るさを制御する調光装置を用いることによって、使用目的（シーン）に応じた最適な明るさを得るようにしている。調光装置には、様々なシーンに応じた明るさを得るための機能が複数設けられたものもあり、これらの複数の機能を効果的に活用することによって、シーンに応じた演出をより効果的に図るための明るさの制御を可能にする。
【０００３】
また、シーンに応じた演出をより効果的に行うための手段として、上述した調光装置とともに照明システムとして構成される照明器具姿勢制御装置がある。この照明器具姿勢制御装置は、例えば照明器具を水平及び垂直方向に回動駆動させるための照明器具駆動手段と接続され、該照明器具駆動手段を制御することにより、内装された照明の照射方向を変化させるように照明器具における姿勢の制御を行うことが可能である。
【０００４】
照明器具は、通常、天井等に配設される場合、あるいは天井側にグリッド、すのこ等を配設し、このグリッド、すのこ等に照明器具懸架装置としての昇降可能な照明バトンに吊り下げられて配置される場合がある。特に、劇場等の舞台では、舞台上の主要領域を効果的にライティング（局部的な照明を得る）するために、天井に取り付けられた天井反射板（以下、天反と称す）に複数の照明器具が配設されるようになっている。また、天反に取り付けられた各照明器具には、上述の照明器具駆動手段が取り付けられており、夫々対応の照明器具姿勢制御装置によって駆動制御されるようになっている。これにより、シーンに応じて最適な照射方向に変化させることで調光装置による調光制御をより効果的に行うことが可能となる。
【０００５】
また、舞台やテレビスタジオ等では、テレビカメラ等の映像系を経由することが必要となる場合もある。この場合には、カメラ感度から規制される照度、あるいは演色性、色温度、フリッカレス等を配慮した照明が要求される。したがって、このような要求を満足するには、各放送番組のごとに照明灯（以下、ランプと称す）の配置、姿勢の設定、各ランプの調光設定を行い、番組の進行につれて各ランプの明るさを調光制御する必要があるため、上記照明器具姿勢制御装置による姿勢制御が必要なものとなる。
【０００６】
ところで、劇場の舞台等に用いられる上記照明システムにおいて、照明器具の姿勢制御系のシステム構成例を示すと、例えば照明器具全ての姿勢を制御するのに必要な姿勢情報を伝送する主制御装置と、該主制御装置からの姿勢情報に基づいて各照明器具駆動手段を夫々制御することにより複数の照明器具の姿勢を制御することの可能な副制御手段としての調光器具姿勢制御部と、天反に配設された複数の照明器具等とで構成されている。
【０００７】
主制御装置からの姿勢情報は、姿勢制御系の伝送路を介して複数の調光器具姿勢制御装置に供給される。調光器具姿勢制御部は供給された姿勢情報に基づき複数の調光器具における姿勢を制御するための姿勢制御信号を生成し、該制御信号を対応する調光器具に供給することで姿勢制御を行う。これにより、劇場の舞台等で使用される調光器具は、調光制御とともにシーンに応じた最適な姿勢状態を得ることが可能となり、舞台上で催される主要領域を効果的にライティングすることができる。
【０００８】
しかしながら、このような従来の照明システムでは、主制御装置からの姿勢情報に基づき、副制御手段としての照明器具姿勢制御装置によって全ての照明器具の姿勢制御を行っているため、仮に主制御装置に異常が発生したり、あるいは主制御装置からの姿勢情報を伝送する伝送路に異常が発生したりすると、正常に調光器具の姿勢制御が行えなくなるという問題点がある。つまり、副制御手段としての照明器具姿勢制御装置が正常に動作していたとしても、姿勢制御するのに必要な姿勢情報が入力されないため、結果として姿勢制御が不可能となる。このため、実際に調光制御及び姿勢制御されている最中に、主制御装置の異常が発生したとすると、照明器具における姿勢制御の中断が余儀なくされてしまい、結果として舞台上に最低限必要なライティングを確保することができなくなってしまう。
【０００９】
この場合の対応策としては、例えば高所である天反に取り付けられた照明器具における姿勢の修復を機械操作ではなく、人間の手で直接修復するという方法があるが、この方法だと高所における作業であることから極めて困難であり、作業安全性、作業効率性、作業時間及び緊急性等を考慮すると、適した方法とはいえない。
【００１０】
【発明が解決しようとする課題】
上記の如く、従来の照明システムでは、主制御装置から送信される姿勢情報を入力し、この姿勢情報に基づいて副制御装置としての照明器具姿勢制御部によって、照明器具の姿勢制御が可能な構成となっていることから、主制御装置の異常発生時や姿勢情報を伝送する伝送路の異常発生時等の緊急時には、照明器具姿勢制御装置が正常に動作していたとしても、主制御装置からの姿勢情報が供給されないため、照明器具の姿勢制御が中断されてしまい、継続して姿勢制御を行うことができず、シーンに最低限必要なライティングを確保することができないという問題点がある。
【００１１】
そこで、本発明では上記問題点に鑑みてなされたもので、異常発生時における照明器具の姿勢制御を可能にしてライティングを保持することのできる照明システムの提供を目的とする。
【００１２】
【課題を解決するための手段】
請求項１記載の本発明による照明システムは、複数の照明器具と；前記複数の照明器具の姿勢を制御するための姿勢情報を送信する主制御手段と；前記複数の照明器具の姿勢を夫々変化させるための姿勢駆動手段と；前記主制御手段からの姿勢情報に基づいて前記姿勢駆動手段を制御する副制御手段であって、前記主制御手段の異常発生を示す緊急信号を取り込むための入力手段と、緊急時において前記副制御手段独自で姿勢制御するための姿勢情報を予め記憶した記憶手段とを有し、前記入力手段に緊急信号が取り込まれた場合には、前記主制御手段による姿勢制御に代えて前記記憶手段に記憶された姿勢情報に基づいて前記姿勢駆動手段を制御することの可能な副制御手段と；前記主制御手段からの姿勢情報を複数の副制御手段に伝送するための伝送線とは別に、前記主制御手段、又は前記伝送線の異常発生時に緊急信号を発生させるために前記主制御装置を有する調光卓、又は姿勢制御操作卓に設けられた信号発生手段を操作することにより、前記信号発生手段からの緊急信号を前記複数の副制御手段の入力手段に夫々伝送するための緊急時用伝送線と；を具備している。
【００１３】
請求項１記載の本発明においては、主制御手段は複数の照明器具の姿勢を制御するための姿勢情報を送信する。姿勢駆動手段は複数の照明器具の姿勢を夫々変化させるためのものである。副制御手段は、主制御手段からの姿勢情報に基づいて姿勢駆動手段を制御する副制御手段であって、主制御手段の異常発生を示す緊急信号を取り込むための入力手段と、緊急時において副制御手段独自で姿勢制御するための姿勢情報を予め記憶した記憶手段とを有している。即ち、副制御手段は、入力手段としての緊急時Ｉ／Ｆに緊急信号が取り込まれると、主制御手段に異常が発生したと判断して、主制御手段による姿勢制御に代えて記憶手段（例えば緊急時用メモリ）に記憶された姿勢情報に基づいて姿勢駆動手段を制御する。また、主制御手段からの姿勢情報を複数の副制御手段に伝送するための伝送線とは別に、主制御手段又は前記伝送線の異常発生時に緊急信号を発生させるために前記主制御装置を有する調光卓、又は姿勢制御操作卓に設けられた信号発生手段を操作することにより、前記信号発生手段からの緊急信号を複数の副制御手段の入力手段に夫々伝送するための緊急時用伝送線を設けて構成されている。したがって、主制御装置と各副制御手段とを接続する伝送線に、例えば断線等の異常が発生した場合でも、主制御手段又は前記伝線の異常発生時に信号発生手段を用いて伝送する緊急信号を、確実に副制御手段に供給することができるため、結果として副制御手段側にて異常発生を検出することが可能となる。これにより、自動的に副制御手段独自による緊急時の姿勢制御を行うことが可能となる。
【００１４】
請求項２に記載の本発明の照明システムは、請求項１に記載の照明システムにおいて、前記記憶手段に記憶されている姿勢情報は、少なくとも前記複数の照明器具のランプによって照射される照射領域に対してほぼ均一に明かりを確保するように前記副制御手段によって姿勢制御を行わせるための情報であることを特徴とする。
【００１５】
請求項２記載の本発明においては、請求項１に記載の照明システムにおいて、記憶手段に記憶されている姿勢情報は、少なくとも複数の照明器具のランプによって照射される照射領域に対してほぼ均一に明かりを確保するように副制御手段によって姿勢制御を行わせるための情報である。これにより、舞台上で催しものが行われている最中に主制御装置又は伝送線に異常が発生した場合でも、舞台上にほぼ均一に明かりが確保されるように副制御手段によって照明器具における姿勢を制御することができることから、催しものの進行に影響のない必要最低限のライティングを得ることが可能となり、催しものを中断させることもない。
【００２３】
【発明の実施の形態】
発明の実施の形態について図面を参照して説明する。
【００２４】
図１は本発明に係る照明装置の一実施形態例を示し、装置のシステム構成例を示すブロック図である。尚、図１に示す照明システムにおいては、調光制御するための伝送系は省略し姿勢制御における伝送系のみが示されている。
【００２５】
主制御装置１は、照明器具毎に設けられた副制御手段としての各照明器具姿勢制御部３ａ乃至３ｘに伝送線２を介して接続され、各照明器具の姿勢を制御するのに必要な姿勢情報（例えば姿勢制御データ）を伝送線２を介して夫々の照明器具姿勢制御部３ａ乃至３ｘへと供給する。
【００２６】
照明器具姿勢制御部３ａ乃至３ｘは、姿勢制御される照明器具毎に設けられており、伝送線２を介して供給された主制御装置１からの姿勢制御データに基づいて夫々対応する照明器具５ａ乃至５ｘの姿勢を制御する。つまり、照明器具姿勢制御部３（照明器具姿勢制御部３ａ乃至３ｘと同様の構成のものには符号３を付している）は、供給された姿勢制御データから照明器具近傍あるいは照明器具内に設けられた照明器具駆動手段（図示せず）を制御するための姿勢制御信号を生成し、該姿勢制御信号を照明器具駆動手段（図示せず）に供給することで照明器具における姿勢を制御する。
【００２７】
一方、複数の照明器具５ａ乃至５ｘは、例えば劇場の舞台等の天井に取り付けられた天反４の所定位置に複数配設されている。照明器具５（照明器具５ａ乃至５ｘと同様の構成ものには符号５を付している）には、舞台上の所定領域を照射するためのランプが内装されているとともに、上述したようにランプの照射方向を可変させるための照明器具姿勢駆動手段が備えられ、あるいはこれら照明駆動手段が照明器具近傍に夫々配置されている場合もある。
【００２８】
図示はしないが照明器具駆動手段は、例えばモータ等の電動装置で構成され、夫々照明器具毎に設けられると共に、対応する照明器具姿勢制御部３の制御によってランプの照射方向を水平及び垂直方向に変化させるように駆動が制御されるようになっている。
【００２９】
各照明器具５ａ乃至５ｘにおけるランプは、図示しない調光制御系を介して調光制御されるようになっており、上記照明器具姿勢制御部３による照明器具駆動手段の駆動制御により照明器具の姿勢を可変することで、結果として調光制御されている光の照射方向を、例えば水平及び垂直方向に変化させることができるようになっている。
【００３０】
このように、通常時には、主制御装置１からの姿勢情報に基づいて夫々の照明器具姿勢制御部３が対応する照明器具５の姿勢制御を行うことにより、調光制御される光の状態に適した照射方向となるように照明器具の姿勢状態が得られるとともに、舞台上の主要領域に対するライティングを効果的に行うことができるようになっている。
【００３１】
しかしながら、従来技術で述べたように主制御装置１自体に異常が発生する場合や、主制御装置１からの姿勢情報を伝送する伝送線２に断線等の異常が発生する場合が考えられる。この場合、従来装置では、副制御装置としての照明器具姿勢制御部が仮に正常であっても、調光制御されているランプを内装した照明器具の姿勢制御が不可能になってしまい、その結果、舞台上で行われている最中のシーンに適したライティングを確保することができないという不都合か発生する。
【００３２】
そこで、本発明の照明装置では上記不都合を解決するために、通常時に姿勢情報を伝送する伝送経路とは別に、異常発生を示す信号（例えば緊急信号）を夫々の照明器具姿勢制御部３ａ乃至３ｘに供給するための緊急用の伝送経路が設けられている。また、夫々の照明器具姿勢姿勢制御部３ａ乃至３ｘには、緊急時に送信される前記信号を取り込むための入力手段と、該入力手段によって緊急時の信号が取り込まれ、通常時による姿勢制御から緊急時の姿勢制御へと切り換えが必要になった場合に、照明器具姿勢制御部３独自で姿勢制御を継続して行うために必要な姿勢制御データを格納した記憶手段とが夫々設けられている。
【００３３】
緊急用の伝送経路としては、図１に示すように、緊急時の信号を伝送する信号線としての緊急時用伝送線７が、夫々の照明器具姿勢制御手段３ａ乃至３ｘに接続されるように配線されている。即ち、主制御装置１の異常発生時、あるいは伝送線２の異常発生時等の緊急時には、異常発生を示す緊急信号がこの緊急時用伝送線７を介して夫々の照明器具姿勢制御部３ａ乃至３ｘに供給される。
【００３４】
この場合、異常発生を示す緊急信号は、例えば舞台全域にわたり調光制御及び姿勢制御を操作するための調光室に設置された主制御装置を有する調光卓又は姿勢制御操作卓から操作されることにより作成される。簡単な構成では、例えば、上記調光卓又は姿勢制御操作卓にスイッチ手段６を設けることによりオン／オフ信号を作成するようにすれば、緊急時には該スイッチ手段６を押下することでオン信号が伝送され、夫々の照明器具姿勢制御部３ａ乃至３ｘによって検出することが可能となる。
【００３５】
図２に照明器具姿勢制御部の具体的な回路構成が示されている。
【００３６】
図２に示すように、照明器具姿勢制御部３は、通常時、伝送線２を介して主制御装置１からの姿勢情報を受信するための伝送インターフェース（以下、伝送Ｉ／Ｆと称す）３１と、緊急時に緊急時用伝送線７を介して緊急信号を受信するための緊急時インターフェース（以下、緊急時Ｉ／Ｆと称す）３４とを備えている。
【００３７】
通常時、主制御装置１からの姿勢情報は伝送Ｉ／Ｆ３１により受信された後、制御手段としてのＣＰＵ３２に供給される。ＣＰＵ３２は、供給された姿勢情報に対し変換処理を施して、図示しない照明姿勢駆動手段を制御するための姿勢制御信号を作成し、該姿勢制御信号を器具制御Ｉ／Ｆ３３を介して、夫々対応する照明器具５の照明器具駆動手段（図示せず）へと供給する。これにより、照明器具５の姿勢状態を制御することが可能となる。
【００３８】
一方、主制御装置１の異常発生や伝送線２の異常発生等の緊急時には、上述したように緊急時用伝送線７を介して緊急信号が各照明器具姿勢制御部３ａ乃至３ｘの緊急時Ｉ／Ｆ３４に供給されて受信されるようになっている。この場合、緊急時Ｉ／Ｆ３４で受信された緊急信号は、ＣＰＵ３２に供給される。
【００３９】
ＣＰＵ３２は、供給された緊急信号から緊急時であると判断して、通常の姿勢制御から緊急時における姿勢制御へと切り換える。つまり、ＣＰＵ３２は緊急時に使用する姿勢制御信号が格納された記憶手段としての緊急時用メモリ３５から必要な姿勢制御データを読み出すとともに、該姿勢制御データを器具制御Ｉ／Ｆ３３を介して姿勢制御信号として対応する照明器具の駆動手段へと供給することにより、緊急時に適した照明器具の姿勢制御を行う。
【００４０】
例えば、緊急時用の姿勢制御信号が供給された各照明器具駆動手段は、夫々の照明器具におけるランプを舞台上ほぼ均一に照射させるように、天反４に取り付けられた夫々の照明器具３ａ乃至３ｘにおける姿勢状態を変化させる。即ち、緊急時用メモリ３５には、このように舞台上をほぼ均一にライティングするのに必要な姿勢制御データが格納されていることになる。
【００４１】
尚、緊急時用メモリ３５に、予め舞台上で行われる催しものに応じた姿勢制御データを緊急時用として記憶するようにしても良い。これにより、仮に異常発生した場合でも、舞台上で行われる催しものの種類（シーン）に応じて最低限必要なライティングを確保することも可能となる。
【００４２】
図３に本発明の照明装置を用いた照明システムを実際に劇場に採用した場合の概略構成図が示されている。尚、図３は舞台を含む劇場の上面からみた伝送系の配線状態を示すと共に主要部分のみを示している。
【００４３】
図３に示すように、劇場の客席後方に設けられた調光室には、主制御装置１としての調光卓１ｂ及び天反ライト操作卓１ａが設置されている。調光卓１は調光装置としての機能を有し、手動操作による調光データ、あるいは記憶手段に記憶されているシーンに応じた調光データを、伝送線８を介して天反４に取り付けられた夫々の照明器具５のランプに供給することにより、調光制御を行う。これにより、シーに応じた最適に調光制御を行うことができる。
【００４４】
天反ライト操作卓１ａは、通常時には手動操作による姿勢制御データあるいは記憶手段に記憶されている姿勢制御データを、調光卓１ｂ、伝送線２を介して劇場の大屋根９上に配設された夫々の姿勢制御部３ａ乃至３ｌに供給する。これにより、例えば調光制御と連動させて各照明器具の姿勢制御を行うことで、より効果的な舞台上のライティングを得ることができる。
【００４５】
また、天反ライト操作卓１ａには、上述したように該天反ライト操作卓１ａに異常が発生した場合、あるいは伝送線２に断線等の異常が発生した場合の緊急時に押下するものとしてスイッチ手段６が備えられている。緊急時発生の場合には、該スイッチ手段６を押下することにより、緊急発生を示す信号が配線された緊急時用伝送線７を介して夫々の姿勢制御部３ａ乃至３ｌに供給される。
【００４６】
各姿勢制御部３ａ乃至３ｌは、例えば図中に示すように、通常時における姿勢制御データと緊急時における緊急信号とが供給されるように配線されており、また、出力する姿勢制御信号が天反４に取り付けられた照明器具５へと夫々供給されるように配線されている。
【００４７】
複数の照明器具５は、例えば図中に示すように舞台の天井に取り付けられた天反４の所定位置に配設されており、通常時の姿勢制御によって、シーンに応じた局部的なライティング状態を得るとともに、緊急時には舞台全体を均一にライティングすることを可能にする。
【００４８】
したがって、このような構成によれば、舞台上で行われいる催し物に伴い、調光制御とともに照明器具の姿勢制御がなされている最中に、天反操作卓１ａ等の主制御装置１の異常が発生し、あるいは伝送線２の断線等の異常が発生したとしても、調光室側にて天反ライト操作卓１ａのスイッチ手段６を押下するだけで、夫々の照明器具姿勢制御部３ａ乃至３ｘにより、調光制御されている照明器具の明かりをほぼ均一に舞台上に確保するように各照明器具５ａ乃至５ｘの姿勢を制御することが可能となる。
次に、照明器具姿勢制御部３におけるＣＰＵの姿勢制御動作を図４を参照しながら詳細に説明する。図４は図３に示すＣＰＵの制御動作の一例を示すフローチャートである。
【００４９】
先ず、劇場の舞台上である催しものの開演に伴い、図３に示す照明システムの電源を投入するものとする。すると、図３に示す調光室の調光卓１ｂ及び天反ライト操作卓１ａを用いて、舞台上の天反４に取り付けられた複数の照明器具５の調光制御及び姿勢制御を行うための調光データ及び姿勢制御データが作成され、該調光データ及び姿勢制御データは伝送線２、８を介して舞台側の照明装置へと出力される。このように、調光データが夫々の照明器具３ａ乃至３ｌのランプへと供給されることにより、シーンに応じた調光状態を得ることができ、通常時の調光が制御されるようになっている。
【００５０】
一方、照明システムの電源が投入されると、即座に各照明器具姿勢制御部のＣＯＵ３２は図４に示す制御動作を開始する。即ち、ＣＰＵ３２はステップＳ１０による処理で緊急時Ｉ／Ｆ３４により緊急信号が受信されたか否かを判断する。このとき、緊急信号が受信された場合には処理をステップＳ１１に移行し、そうでない場合にはステップＳ１４に処理を移行することにより、上記調光卓１ｂ及び天反ライト操作卓１ａから供給される姿勢制御データを取り込み、該姿勢制御データに基づいて通常時の姿勢制御を行うようにする。
【００５１】
そして、ステップＳ１０による判断処理で緊急信号が受信されたものと判断されると、ステップＳ１２による処理により緊急時用の姿勢制御を行う。つまり、この場合は主制御装置に異常が発生し、あるいは伝送線２に断線等の異常が発生した緊急時である。したがって、ＣＰＵ３２は予め緊急時用の姿勢制御データを格納した緊急時用メモリ３５から記憶している姿勢制御データを読み出すとともに、読み出した姿勢制御データを器具制御Ｉ／Ｆ３３に与えることで姿勢制御信号に変換して、夫々対応する照明器具の照明器具駆動手段に供給する。これにより、照明器具の姿勢を変化させる各照明器具駆動手段は、緊急時用の姿勢制御データに基づいて駆動制御することにより、夫々の照明器具３ａ乃至３ｘは最低限のライティングを確保するのに必要な姿勢状態に制御される。
【００５２】
ステップＳ１２より緊急時の姿勢制御の実行後、ＣＰＵ３２は処理をステップＳ１３に移行する。このステップＳ１３による判断処理では、例えば供給される姿勢制御データから主制御装置や伝線２の異常状態から正常な状態に復帰されたか否かを検出する。このとき、検出結果が正常な状態へと復帰したと判定された場合、即ち、主制御装置の異常や伝線２の異常が修復された場合には、ＣＰＵ３２は緊急時における姿勢制御（ステップＳ１２）から通常時の姿勢制御（ステップＳ１４、ステップＳ１５）に切り換えるように制御する。したがって、正常な状態になった場合には、調光室側の天反ライト操作卓１ｂによる姿勢制御が可能となる。また、異常状態から正常な状態へと復帰していないと判定された場合には、再びこのステップＳ１３に処理を戻し、正常な状態へと復帰されるまで常に判断処理を行う。
【００５３】
その後、異常が修復されると、ＣＰＵ３２はステップＳ１４により、伝送Ｉ／Ｆ３１を介して通常時の姿勢制御データを取り込み、更にステップＳ１５による処理で、供給された姿勢制御データに基づいて対応する照明器具駆動手段を制御して照明器具３ａ乃至３ｌの姿勢状態を変えるように通常の姿勢制御を行う。
【００５４】
その後は、再び処理をステップＳ１０にフィードバックさせて、常時、緊急時における緊急信号が受信されたか否かを監視する。このように、ＣＰＵ３２による処理により、緊急時が発生した場合でも、確実に最低限必要なライティングを行うための姿勢制御を行うことが可能となる。
【００５５】
以上、述べたように本実施形態例によれば、主制御装置１の異常や伝送線２の異常が発生した場合でも、単にスイッチ手段６を押下するだけで、舞台上に最低限必要なライティングを確保することができるように夫々の照明器具の姿勢状態を自動的に制御することが可能となる。したがって、高所の天反４に取り付けられた各照明器具の姿勢状態を手作業で修復せずとも、自動的に緊急時に必要な姿勢制御を自動的に行うことが可能であるため、最低限必要なライティングを確保することができる。
【００５６】
ところで、上述の実施形態例においては、主制御装置１の異常や伝送線２の異常が発生した場合に、スイッチ手段６を押下することで各照明器具姿勢制御部３におけるＣＰＵ３２よって、緊急時であることを認識させていたが、本発明の照明装置では、緊急信号を入力せずとも主制御装置の異常や伝送線の異常の発生を検出して緊急時における姿勢制御を行うことも可能である。このような実施形態例を図示はしないが説明する。
【００５７】
本実施形態例では、夫々の照明器具姿勢制御部のＣＰＵ３２によって、伝送Ｉ／Ｆ３１から供給される姿勢制御データの有無を常時監視し、仮に姿勢制御データが伝送されない場合には、主制御装置１あるいは伝送線２に異常が発生したと判断して、前記実施形態異例と同様に緊急時用メモリ３５からの緊急時用姿勢制御データに基づいて姿勢制御を行なわせる。つまりＣＰＵ３２は、前記実施形態例におけるスイッチ手段６からの信号（緊急信号）を入力せずとも、通常の姿勢制御時に供給される姿勢制御データの有無を検出することで、緊急時であるか否かを判断することが可能となる。
【００５８】
したがって、このような構成によれば、各照明器具姿勢制御部のＣＰＵ３２に組み込まれるソフトについては複雑となるが、前記実施形態例で用いられた緊急用伝送線７と各照明器具姿勢制御部の緊急時Ｉ／Ｆ３４とを削除することができるため、簡単な構成で実施することができると共にコスト的にも低減することが可能となり、しかも前記実施形態例と同様の効果を得ることができる。
【００５９】
尚、本発明に係る実施形態例においては、天井に固定された天反用の照明器具の姿勢制御について説明したが、本発明はこれに限定されず、例えばテレビスタジオ等に使用される照明バトンに取り付けられた照明器具の姿勢制御を行うことも可能である。この場合においても、前記実施形態例と同様の効果を得ることができる。
【００６０】
【発明の効果】
請求項１及び請求項２の発明によれば、主制御手段に異常が発生した緊急時の場合でも、副制御手段独自で照明器具における姿勢を制御することが可能となり、最低限必要なライティングを確保することができる。
【００６１】
請求項３の発明によれば、主制御装置と各副制御手段とを接続する伝送線に、例えば断線等の異常が発生した場合でも、主制御手段又は前記伝線の異常発生時に信号発生手段を用いて伝送する緊急信号を、確実に副制御手段に供給することができるため、結果として副制御手段側にて異常発生を検出することが可能となる。これにより、同様に緊急時における照明器具の姿勢制御を行うことができる。
【００６２】
請求項４に記載の発明によれば、請求項１、２の照明装置と同様の効果を得る他、緊急信号を夫々の副制御手段に伝送するための緊急用伝送線及び入力手段としての緊急時Ｉ／Ｆを設けなくても異常発生を検出して姿勢制御を行うことができることから、より簡単な構成で且つコスト的にも低減して実施することができるという効果を得る。
【００６３】
請求項５に記載の発明によれば、これにより、舞台上で催しものが行われている最中に主制御装置又は伝送線に異常が発生した場合でも、舞台上にほぼ均一に明かりが確保されるように副制御手段によって照明器具における姿勢を制御することができることから、催しものの進行に影響のない必要最低限のライティングを得ることが可能となり、催しものを中断させることもない。
【００６４】
請求項６に記載の発明によれば、高所となる天反に取り付けられた照明器具の姿勢を手作業で修復することを不要にすることができ、結果として作業の簡素化、作業効率及び作業安全性等の向上を図ることができるという効果を得る。
【００６５】
請求項７に記載の発明によれば、舞台を有する劇場や大きなコンペションホールに発明の照明システムを採用すれば、催しものの進行に伴い実行される調光制御を、より効果的に行うことが可能となり、また異常が発生したとしても、催しものの進行に影響のないライティングを確保することができることから、出演者あるいは舞台関係者等に安心感を与えることができる。
【図面の簡単な説明】
【図１】本発明に係る照明装置の全体構成を示すシステム構成図。
【図２】図１に示す照明器具姿勢制御部の一実施形態例を示すブロック図。
【図３】照明装置を含む照明システムを採用した劇場の概略配線構成図。
【図４】照明器具姿勢制御部の動作を説明するためのフローチャート。
【符号の説明】
１…主制御装置、
２…伝送線、
３、３ａ〜３ｘ…照明器具姿勢制御部、
４…天反（天井反射板）
５、５ａ〜５ｘ…照明器具、
６…スイッチ手段、
７…緊急時用伝送線、
３１…伝送Ｉ／Ｆ、
３２…ＣＰＵ、
３３…器具制御Ｉ／Ｆ、
３４…緊急時Ｉ／Ｆ。
【図１】
0003887850.tif 000002
【図２】
0003887850.tif 000003
【図３】
0003887850.tif 000004
【図４】
0003887850.tif 000005